(57)【特許請求の範囲】
【請求項１】
透液性表面シートと不透液性裏面シートとの間に吸収体が介在されるとともに、下着当接面側に接着性ズレ止め手段が形成され、かつ前記吸収体の表面に吸収体中高部および／または吸収体両側部に左右対の側部フィットエンボスが形成された吸収性物品において、
前記接着性ズレ止め手段は、吸収性物品の短手方向長さが異なる少なくとも２種以上のパターンを有し、吸収性物品の少なくとも股間部領域に相対的に短手方向長さが短い接着性ズレ止めパターンが配置されるとともに、吸収性物品の少なくとも前後端部領域に相対的に短手方向長さが長い接着性ズレ止めパターンが配置され、
かつ前記股間部領域において、前記接着性ズレ止めパターンの側端部位置が前記吸収体中高部の側縁または左右対の側部フィットエンボスの最も内方側点から吸収性物品の短手方向に±５mmの位置に存在することを特徴とする吸収性物品。
【請求項２】
前記前後端部領域において、前記接着性ズレ止めパターンの側端部位置が吸収体側縁から吸収性物品の短手方向に±５mmの位置に存在する請求項１記載の吸収性物品。
【請求項３】
前記接着性ズレ止めパターンは、吸収性物品の短手方向長さが異なる３種以上のパターンを有し、股間部領域から前後端部領域にかけて段階的に短手方向長さを拡大させるようにしてある請求項１、２いずれかに記載の吸収性物品。
【請求項４】
前記接着性ズレ止め手段は、粘着剤、粘着テープまたは面ファスナーである請求項１〜３いずれかに記載の吸収性物品。
【発明の詳細な説明】
【０００１】
【発明の属する技術分野】
本発明は、経血やおりものなどを吸収するための生理用ナプキン、パンティライナー、失禁パッド等の吸収性物品に関する。
【０００２】
【従来の技術】
従来より、生理用ナプキン、パンティライナー、おりものシート、失禁パッドなどの吸収性物品として、ポリエチレンシートまたはポリエチレンラミネート不織布などからなる不透液性裏面シートと、不織布または多孔性プラスチックシートなどからなる透液性表面シートとの間に、綿状パルプなどからなる吸収体を介在させたものが知られている。
【０００３】
この種の吸収物品においては、装着時のズレ止めを図るために、図６に示されるように、非使用面側（不透液性裏面シートの外面）に粘着剤層６０を形成しておき、吸収性物品の装着時に前記粘着剤層６０をショーツに接着させ、吸収性物品が位置ずれしないよう保持するようにしている。
【０００４】
前記ズレ止め用粘着剤層６０の形成パターンとしては、種々の態様が採用され、吸収性物品の長手方向に沿って１または複数条の粘着剤層をライン状に形成したものや、矩形面積状のものを複数領域に亘って形成したものや、吸収性物品の短手方向に沿って多数の粘着剤層をライン状に形成したものなどが挙げられる。これら粘着剤層パターン群の内、後者の吸収性物品の短手方向に沿って多数の粘着剤層をライン状に形成する形成パターンは、実開平6-63023号公報などに示されるように、粘着剤層のリリーステープ機能を個包装シートに持たせた場合の吸収性物品に多く見られる形成パターンである。
【０００５】
【発明が解決しようとする課題】
しかしながら、前記粘着剤層のパターンとして、図６に示されるように、吸収性物品の製品前端部から製品後端部まで同一の塗布幅（吸収性物品の短手方向長さ）で形成されている吸収性物品では、該吸収性物品をショーツに固定した際、前記塗布幅が長い場合には、股間部位において、前記粘着剤層の両端部がショーツからはみ出てしまうことがあったり、逆に塗布幅が短い場合には製品端部が身体の動きによって位置ズレしてしまうことが問題点として指摘されていた。
【０００６】
また、吸収性物品の装着時に特に股間部においては、足の付け根側から幅方向に圧力を受けたり、捻れが加えられたり、剪断力が加えられたりするなどの複雑な力が加えられるようになる。これらの作用力によって、吸収体の両側部が中央側に押し潰され、ヨレが生じたり、長手方向に沿って大きな縦ジワが形成されたりして、装着感に違和感を感じたり、ヨレた状態で粘着剤層が他の部位に再接着し変形状態が拘束されたり、前記縦ジワによって漏れが生じたりすることがあった。
【０００７】
このような問題に対して特開昭63-54161号公報では、ズレ止め用粘着剤の形成パターンを大文字のＩ形状とし、両端部では粘着領域を大きくする一方、股間部では粘着領域を小さく形成するようにし、吸収性物品のズレとシワ寄せを防止する方法を提案している。
【０００８】
しかしながら、前記特開昭63-54161号公報記載のズレ止め粘着剤層パターンの場合には、股間部における粘着剤パターンを吸収性物品の長手方向に沿ってかつ長手方向中心位置に１本のライン状に形成することを提案しているが、このような股間部の粘着剤パターンは、実質的に吸収体の動きを完全に自由化してしまい、激しい身体の運動により吸収体が過度の圧縮力や捻れを受けた場合に、ショーツは元の状態に復元するけれども、吸収体に形成された縦ジワが残留したままとなり、吸収体に生じた縦ジワから漏れが生じ易いなどの問題があることが知見された。
【０００９】
そこで本発明の主たる課題は、非使用面側（外面）に接着性ズレ止め手段が形成された吸収性物品において、前記接着性ズレ止め手段の形成パターンを部分毎に適正に規定することにより、吸収性物品全体の位置ズレを効果的に防止するとともに、特に股間部において吸収に寄与する吸収体部分の位置ズレおよび縦ジワの発生を効果的に防止するようにした吸収性物品を提供することにある。
【００１０】
【課題を解決するための手段】
前記課題を解決するために請求項１に係る本発明として、透液性表面シートと不透液性裏面シートとの間に吸収体が介在されるとともに、下着当接面側に接着性ズレ止め手段が形成され、かつ前記吸収体の表面に吸収体中高部および／または吸収体両側部に左右対の側部フィットエンボスが形成された吸収性物品において、
前記接着性ズレ止め手段は、吸収性物品の短手方向長さが異なる少なくとも２種以上のパターンを有し、吸収性物品の少なくとも股間部領域に相対的に短手方向長さが短い接着性ズレ止めパターンが配置されるとともに、吸収性物品の少なくとも前後端部領域に相対的に短手方向長さが長い接着性ズレ止めパターンが配置され、
かつ前記股間部領域において、前記接着性ズレ止めパターンの側端部位置が前記吸収体中高部の側縁または左右対の側部フィットエンボスの最も内方側点から吸収性物品の短手方向に±５mmの位置に存在することを特徴とする吸収性物品が提供される。
【００１１】
上記請求項１記載の発明においては、動きの少ない吸収性物品の前後端部領域では、接着性ズレ止め手段の短手方向長さを長くして接着面積を大きく取り、吸収性物品全体が下着に対して位置ズレしないように確実に接着する。
【００１２】
一方、幅方向の圧力、引張力および捻れ等を受ける股間部領域では、接着性ズレ止め手段の短手方向長さを短くし、吸収体中高部領域または側部フィットエンボスに挟まれた吸収体領域にのみ接着性ズレ止め手段を配置し、下着と接着するようにする。したがって、当該股間部領域において、吸収体の側部領域については、吸収体の側部領域が自由に変形できるようになるとともに、変形後の再接着により変形（縦ジワ）した状態が拘束されないようになる。また、吸収体中高部領域または側部フィットエンボスに挟まれた吸収体領域については、下着と接着することにより、位置ズレが確実に防止されるようになるとともに、激しい身体の運動により吸収体が過度の圧縮力や捻れを受けた場合であっても、ショーツが元の状態に復元することに伴って吸収体も元の状態まで復元し縦ジワが解消されるようになるため、漏れが効果的に防止されるようになる。
【００１３】
請求項２に係る本発明として、前記前後端部領域において、前記接着性ズレ止めパターンの側端部位置が吸収体側縁から吸収性物品の短手方向に±５mmの位置に存在する請求項１記載の吸収性物品が提供される。
【００１４】
上記請求項２記載の発明によれば、前後端部領域においては、吸収体のほぼ全幅を下着に接着することにより、吸収性物品全体が位置ズレしないように接着されるようになる。また、粘着剤層の両端部がショーツからはみ出てしまうことも無くなる。
【００１５】
請求項３に係る本発明として、前記接着性ズレ止めパターンは、吸収性物品の短手方向長さが異なる３種以上のパターンを有し、股間部領域から前後端部領域にかけて段階的に短手方向長さを拡大させるようにしてある請求項１、２いずれかに記載の吸収性物品が提供される。
【００１６】
上記請求項３記載の発明によれば、接着性ズレ止めパターンの端部を繋いだ長手方向外形線が略弧状の曲線となり、かつ前記弧状曲線の拡がりに従って下着に対する接着力が徐々に増大する結果となり好ましいものとなる。
【００１７】
請求項４に係る本発明として、前記接着性ズレ止め手段は、粘着剤、粘着テープまたは面ファスナーである請求項１〜３いずれかに記載の吸収性物品が提供される。
【００１８】
【発明の実施の形態】
以下、本発明の実施の形態について図面を参照しながら詳述する。
図１は本発明に係る吸収性物品１の一部破断展開図であり、図２はその背面図である。
【００１９】
〔吸収性物品の構造〕
吸収性物品１は、パンティライナー、生理用ナプキン、おりものシート、失禁パッド等の身体から排出される体液を吸収保持する身体装着品であり、具体的には、不透液性裏面シート２と透液性表面シート３との間に吸収体４を介在させて構成される。図示例では前記吸収体４の身体に対するフィット性を向上させ、横漏れ等を防止するために、経血等の体液排出部Ｈを含む範囲に表面側に増厚された吸収体中高部６が形成されているとともに、前記吸収体中高部６を際立たせ隆起形状を安定させるとともに、横漏れ防止を図るために、吸収体中高部６の側縁部に沿って内方側に膨出する弧状形状の側部フィットエンボス７，７が左右対で形成されるとともに、前記吸収体中高部６の前後端縁に沿って略半円形状の前後フィットエンボス８，８が前後対で形成されている。また、吸収性物品１の両側部にはサイドシート５，５が設けられている。
【００２０】
前記不透液性裏面シート２としては、ポリエチレンシートなどの少なくとも遮水性を有するシート材が用いられるが、この他にポリエチレンシート等に不織布を積層したラミネート不織布や、さらには防水フィルムを介在して実質的に不透液性を確保した不織布シート（この場合には防水フィルムと不織布とで不透液性裏面シートを構成する。）などを用いることができ、通気性であっても非通気性であってもよい。
【００２１】
次いで、透液性表面シート３としては、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。
【００２２】
これら透液性表面シート３と不透液性裏面シート２との間に介在される吸収体４は、たとえばフラッフ状パルプと吸水ポリマーとにより構成されている。前記吸収性ポリマーは吸水体を構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４は形状保持と吸収性向上のためにクレープ紙などで囲繞するのが望ましい。
【００２３】
〔接着性ズレ止め手段の形成パターン〕
前記不透液性裏面シート２、すなわち装着状態で下着当接面には、図２の背面図に示されるように、本発明に従って、所定パターンの接着性ズレ止め手段１０が形成されている。前記接着性ズレ止め手段１０としては、例えば粘着剤、粘着テープおよび面ファスナー等の下着に対して接着性を示す物性のものが用いられるが、本形態例では任意パターンで塗布が容易に行えるホットメルト粘着剤によりズレ止め手段が構成されている。したがって、以下の説明ではズレ止め手段１０は粘着剤層１０として説明を行う。なお、図２の背面図では前記吸収体中高部６および側部フィットエンボス７，７との相対的位置関係が明確になるように、これらについても図示している。
【００２４】
前記接着性ズレ止め手段１０は、吸収性物品の長手方向（以下、単に長手方向という。）に間隔をおいて吸収性物品の短手方向（以下、単に短手方向という。）に沿って形成された多数のライン状の粘着剤層１０からなり、これら短手方向に沿うライン状の粘着剤層１０は、短手方向長さが異なる少なくとも２種以上のパターン、図示例では３種のパターンによって構成されている。
【００２５】
具体的には、体液排出部Ｈを含む股間部領域１１に、短手方向長さが最も短い粘着剤パターン１４、１４…が配置されるとともに、吸収性物品の前後端部領域１３Ａ、１３Ｂに短手方向長さが最も長い粘着剤パターン１６、１６…が配置され、前記股間部領域１１と前後端部領域１３Ａ、１３Ｂとの中間領域１２Ａ、１２Ｂには短手方向長さが中間の粘着剤パターン１５、１５…が配置されている。なお、前記各粘着剤パターン１４〜１６は、長手方向中心線Ｌに対して左右対称に配置される。この場合、前記股間部領域１１に配置される粘着剤パターン１４と、前後端部領域１３Ａ、１３Ｂに配置される粘着剤パターン１６との短手方向距離の比は、概ね１．５〜２程度であることが望ましい。
【００２６】
先ず、前記股間部領域１１においては、粘着剤パターン１４，１４…の側端部位置（吸収性物品１の短手方向端部位置）は、吸収体中高部６の側縁または左右対の側部フィットエンボス７，７の最も内方側点Ｐから吸収性物品１の短手方向に±５mmの位置に存在するようになっている。なお、図示例では吸収体中高部６の側縁に沿って側部フィットエンボス７，７を形成しているため、前記吸収体中高部６の側縁と、左右対の側部フィットエンボス７，７の最も内方側点Ｐとの位置はほぼ一致している。
【００２７】
本発明では、前記股間部領域１１において、吸収体４の側部領域Ｋについては、吸収性物品１を下着に接着させないようにして、身体の動きに伴って自由に変形できるようにしている。吸収体側部領域を自由に変形できる状態とすることにより、吸収体に加わる押圧力、偏った引張力や捻れなどの作用力の大部分を該領域で吸収・緩和し、吸収体４の内側領域に及ばないようにすることができる。また、粘着剤を設けていないため、変形後の再接着により変形（縦ジワ）した状態が拘束されないようにもなる。さらに、本例では立体ギャザーを有しない吸収性物品に本発明を適用した場合について述べているが、立体ギャザーを有する吸収性物品に対し本発明を適用した場合には、下着に接着させない側部領域Ｋを設けることにより、立体ギャザーの起立部分に対応する前記側部領域Ｋが身体側に容易に変形可能となり起立効果が高まるため、横漏れ防止効果が向上するようになる。なお、前記股間部領域１１の区間長さは、同図に示されるように、吸収体中高部６の側縁区間（吸収性物品の略長手方向に沿う側縁長）とほぼ同等とするのが望ましい。
【００２８】
一方、吸収体中高部６領域または側部フィットエンボス７，７に挟まれた吸収体領域については、下着と接着することにより、位置ズレが確実に防止されるようになるとともに、激しい身体の運動により吸収体が過度の圧縮力や捻れを受けた場合であっても、ショーツが元の状態に復元することに伴って吸収体４も元の状態まで復元し縦ジワが解消されるようになるため、漏れが効果的に防止されるようになる。
【００２９】
次いで、前後端部領域１３Ａ，１３Ｂにおいては、身体の運動によっても大きな圧縮力や捻れを受けない部分であるため、吸収体４のほぼ全幅を下着に対して接着し、吸収性物品１全体が位置ズレしないように拘束する。具体的には、前記粘着剤パターン１６，１６…の端部位置が吸収体側縁から吸収性物品の短手方向に±５mmの位置に存在するようにする。かかる前後端部領域１３Ａ、１３Ｂに形成される粘着剤パターン１６の幅は、接着力の増大を図るために、前記股間部領域１１および中間領域１２Ａ、１２Ｂにおける粘着剤パターン１４，１５の幅よりも太く形成するのが望ましい。また、粘着剤そのものの接着力を他の部位の粘着剤よりも増大させたものを使用するようにしてもよい。
【００３０】
他方、前記中間領域１２Ａ，１２Ｂにおいては、前記股間部領域１１と前後端部領域１３Ａ，１３Ｂとの中間的な機能を担うものである。すなわち、吸収体４の側部領域Ｋについては、粘着剤層を設けないことにより、吸収体４の変形をある程度許容するようにするとともに、股間部領域１１よりも粘着剤パターン１５、１５…の短手方向長さを長くして吸収性物品１の位置ズレを防止するようにしている。このように、股間部領域１１から前後端部領域１３Ａ、１３Ｂにかけて段階的に短手方向長さを拡大させるように短手方向長さの異なる粘着剤パターンを配置することにより、各粘着剤パターンの端部を繋いだ長手方向外形線は、略弧状の曲線となり、かつこの弧状曲線の拡がりに従って下着に対する接着力が徐々に増大する結果となるため好ましいものとなる。
【００３１】
前記接着剤層１４〜１６を形成する接着剤としては、スチレン系ポリマー、粘着付与剤、可塑剤のいずれかが主成分であるものが使用される。前記スチレン系ポリマーとしては、スチレン−エチレン−ブチレン−スチレンブロック共重合体、スチレン−ブタジエン−スチレンブロック共重合体、スチレン−イソブチレン−スチレン共重合体等が挙げられるが、これらのうち一種のみを使用しても、二種以上のポリマーブレンドであってもよい。この中でも、熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤では、例えば、Ｃ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では、例えば、リン酸トリフレシル、フタル酸ジブチル、フタル酸ジオクチル等モノマー可塑剤の他、ビニル重合体やポリエステルのようなポリマー可塑剤が挙げられる。
【００３２】
ところで、前記粘着剤パターン１０は、本発明によるパターン形成の限定条件の下で種々の変更が可能である。図３はその実施態様の一例を示したもので、股間部領域１１の区間距離を図２記載の実施態様よりも短くするとともに、後部側領域１３Ｂの区間距離を長くした粘着剤パターンの例である。また、図４に示される粘着剤パターンの態様例は、股間部領域１１，中間領域１２Ａ、１２Ｂおよび前後端部領域１３Ａ、１３Ｂの区間距離をほぼ均等にするとともに、吸収性物品１の長手方向に偏ることなく、ほぼ中央に配置して、吸収性物品１の前後方向中心線および左右方向中心線に対して対称的に形成した例である。さらに、図５に示される粘着剤パターンは、股間部領域１１、中間領域１２Ａ、１２Ｂおよび前後端部領域１３Ａ、１３Ｂにおいて、前後端側寄りの粘着剤層のみを太幅で形成した例である。
【００３３】
ところで、前記吸収性物品１の包装に当たっては、一方面側に剥離処理を行うとともに、吸収性物品１の外形よりも大きい個装シートを使用し、前記剥離処理面を前記粘着剤層１０に貼着し、三つ折りした後、両側部をヒートシールするようにする。
【００３４】
【発明の効果】
以上詳説のとおり本発明によれば、非使用面側（外面）に接着性ズレ止め手段が形成された吸収性物品において、前記接着性ズレ止め手段の形成パターンを部分毎に適正に規定することにより、吸収性物品全体の位置ズレを効果的に防止するとともに、特に股間部において吸収に寄与する吸収体部分の位置ズレおよび縦ジワの発生を効果的に防止できるようになる。
【図面の簡単な説明】
【図１】本発明に係る吸収性物品１の一部破断展開図である。
【図２】その背面図である。
【図３】他の粘着剤パターンを示す吸収性物品の背面図（その１）である。
【図４】他の粘着剤パターンを示す吸収性物品の背面図（その２）である。
【図５】他の粘着剤パターンを示す吸収性物品の背面図（その３）である。
【図６】従来の吸収性物品における粘着剤パターンを示す背面図である。
【符号の説明】
１…吸収性物品、２…不透液性裏面シート、３…透液性表面シート、４…吸収体、５…サイドシート、６…吸収体中高部、７…側部フィットエンボス、８…前後フィットエンボス、１０…粘着剤層、１１…股間部領域、１２Ａ・１２Ｂ…中間領域、１３Ａ・１３Ｂ…前後端部領域、１４〜１６…粘着剤パターン
【図１】
0004522021.tif 000002
【図２】
0004522021.tif 000003
【図３】
0004522021.tif 000004
【図４】
0004522021.tif 000005
【図５】
0004522021.tif 000006
【図６】
0004522021.tif 000007